(57)【要約】【課題】竪樋の外面を流れる水が竪樋の内部の光源により照射されると共に、光源を損傷することなく竪樋の内部に水を流すことができる流水鑑賞用竪樋を提供する。【解決手段】外面を水が流れ透光性を有する材質で形成される外側竪樋１１と、外側竪樋１１の内部に設けられる内側竪樋１２と、外側竪樋１１と内側竪樋１２とを周方向の一部で連設する連設部１４と、外側竪樋１１と内側竪樋１２との間に設けられ光源が設置される光源設置空間１３と、を備えることを特徴とする。【選択図】図１
2014206000.tif 000002
【特許請求の範囲】
【請求項１】
外面を水が流れ透光性を有する材質で形成される外側竪樋と、前記外側竪樋の内部に設けられる内側竪樋と、前記外側竪樋と前記内側竪樋とを周方向の一部で連設する連設部と、前記外側竪樋と前記内側竪樋との間に設けられ光源が設置される光源設置空間と、を備えることを特徴とする流水鑑賞用竪樋。
【請求項２】
前記連設部に前記内部竪樋の内部空間と前記外側竪樋の外側の空間とを連通する通気用スリットが設けられることを特徴とする請求項１記載の流水鑑賞用竪樋。
【請求項３】
前記外側竪樋の外面は親水性を有していることを特徴とする請求項１又は請求項２に記載の流水鑑賞用竪樋。
【発明の詳細な説明】
【技術分野】
【０００１】
本発明は、流水鑑賞用竪樋に関するものである。
【背景技術】
【０００２】
従来から、竪樋は透光性を有する材質で形成され、竪樋の内部に光源が設置され、集水器へと流れてきた水が竪樋の外面を流れ、竪樋の外面を流れる水が竪樋の内部の光源により照射され視覚効果を高める流水鑑賞用竪樋が知られている（例えば特許文献１参照）。
【先行技術文献】
【特許文献】
【０００３】
【特許文献１】実開昭６３−１７３４２８号公報
【特許文献２】特開２０１０−１２１４２８号公報
【発明の概要】
【発明が解決しようとする課題】
【０００４】
特許文献１に記載されている発明では、多量の雨水が集水器から竪樋へと流下すると、雨水は竪樋の外面を沿って流下するだけではなく、雨水が集水器からそのまま地面へと流下してしまっていた。この課題を解決するために、多量の水が集水器から竪樋へと流れてきた際、特許文献２に記載されている発明のように、竪樋の内側へ水を流す方法が考えられる。しかし、竪樋の内部には上述したように光源があるため、竪樋の内側へ水が流れると、光源が壊れてしまう虞がある。
【０００５】
本発明は上記従来の問題点に鑑みて発明したものであって、その目的とするところは、竪樋の外面を流れる水が竪樋の内部の光源により照射されると共に、光源を損傷することなく竪樋の内部に水を流すことができる流水鑑賞用竪樋を提供することを課題とする。
【課題を解決するための手段】
【０００６】
上記課題を解決するために、本発明は、以下のような構成とする。
【０００７】
外面を水が流れ透光性を有する材質で形成される外側竪樋と、前記外側竪樋の内部に設けられる内側竪樋と、前記外側竪樋と前記内側竪樋とを周方向の一部で連設する連設部と、前記外側竪樋と前記内側竪樋との間に設けられ光源が設置される光源設置空間と、を備えることを特徴とする。
【０００８】
また、前記連設部に前記内部竪樋の内部空間と前記外側竪樋の外側の空間とを連通する通気用スリットが設けられることが好ましい。
【０００９】
また、前記外側竪樋の外面は親水性を有していることが好ましい。
【発明の効果】
【００１０】
本発明の流水鑑賞用竪樋は、竪樋の外面を流れる水が竪樋の内部の光源により照射されると共に、光源を損傷することなく竪樋の内部に水を流すことができる。
【図面の簡単な説明】
【００１１】
【図１】本実施形態の流水鑑賞用竪樋の平面視の断面図である。
【図２】本実施形態の流水鑑賞用竪樋と集水装置と排水装置との分解斜視図である。
【図３】本実施形態の流水鑑賞用竪樋に集水装置と排水装置とを取付けた正面視の断面図である。
【図４】（ａ）は軒樋に取付けられた集水装置の断面斜視図であり、（ｂ）は集水装置の正面視の断面図であり、（ｃ）は集水装置の斜視図である。
【発明を実施するための形態】
【００１２】
以下、本発明を添付図面に示す実施形態に基いて説明する。なお、以下の説明では、流水鑑賞用竪樋を竪樋１と称する。
【００１３】
本実施形態の竪樋１は、図１に示すように二重構造となっている。竪樋１は、外側竪樋１１と、外側竪樋１１の内側に設けられる内側竪樋１２と、外側竪樋１１と内側竪樋１２を連設する連設部１４と、を備える。本実施形態の竪樋１は、押出成形により、外側竪樋１１と内側竪樋１２と連設部１４とが一体に成形される。
【００１４】
外側竪樋１１は、透光性を有する材質で形成される。外側竪樋１１は、樹脂で形成されることが好ましい。外側竪樋１１は、本実施形態では、平面視の形状は円形に設けられているが、矩形でもよく、その形状は限定されない。外側竪樋１１の外面では、集水器から竪樋１へと流下する水と、外側竪樋１１の外面に当たる雨水と、が流下する。このとき、外側竪樋１１の外面に沿って流下する水の様子を鑑賞することができる。
【００１５】
外側竪樋１１の外面は親水性を有する。外側竪樋１１の外面に親水処理材を塗装したり、外側竪樋１１の外面に微細な凹凸を形成する、等して外側竪樋１１に親水処理加工が施される。こうすることで、外側竪樋１１の外面に沿って流下する雨水の飛散を防止できる。また、水が外側竪樋１１の外面に沿って滑らかに流下することができる。そして、外側竪樋１１の外面に沿って流下する水の様子を美しく現すことができる。
【００１６】
内側竪樋１２は、外側竪樋１１と同じ透光性を有する樹脂で形成されるのが好ましいが、特に限定されない。内側竪樋１２は、本実施形態では、平面視の形状は円形に設けられているが、矩形でもよく、その形状は限定されない。
【００１７】
ここで、本実施形態の竪樋１に取付けられる集水装置２の例を示す。そして、集水装置２から竪樋１へと流れる水の流れ方について説明する。
【００１８】
本実施形態の竪樋１は、図２、３に示すように、軒樋７の雨水を集める集水装置２と、下方で流下水を集めて排水管８に排出させる排水装置６と、に接続される。そして、集水装置２には、落葉や塵などが竪樋１に流入しないようにするため、塵流入防止用カバー５が被せられる。
【００１９】
集水装置２は、図３、４に示すように、軒樋７の排水口に取付けられる本体部３と、本体部３に対して着脱自在に取付けられる着脱下部４と、が備えられる。
【００２０】
本体部３は、本体上部３１と、本体下部３２とで設けられる。
【００２１】
本体上部３１には、図４に示すように、外周部に雄ねじ部を有する筒部３１ａが設けられる。そして、筒部３１ａの上端開口部に外側方に向けて鍔部３１ｂが設けられる。筒部３１ａは、筒部３１ａの内周面から内方に突出した縦板状の複数の突片部３１ｃを備える。突片部３１ｃの上端部は、筒部３１ａから上方に突出される。また、隣合う突片部３１ｃの間が排水通路部３１ｄとなる。
【００２２】
複数の突片部３１ｃの筒部３１ａの中心方向の先端部は、図４（ａ）に示すように、筒部３１ａ内に竪樋１の上端部を嵌め込んだ際、竪樋１の外面に当接して竪樋１を支持する。本実施形態では、複数の突片部３１ｃの筒部３１ａの中心方向の先端部で囲まれた部分が、竪樋１の上端部を嵌め込むための上嵌め込み部３１ｅとなる。
【００２３】
複数の突片部３１ｃの上端部は、図４（ｂ）に示すように、オーバーフロー部となる中央筒部３１ｆと一体に連設される。中央筒部３１ｆは、上嵌め込み部３１ｅに竪樋１の上端部を嵌め込んで支持した際、竪樋１の上端開口と対向する。中央筒部３１ｆの上部は、下部よりも径が大きくなる。
【００２４】
本体下部３２は、図４（ｂ）に示すように、外側筒部３２ａの上端部と内側筒部３２ｂの上端部とが一体に連設される。本体下部３２には、外側筒部３２ａの上端外周から外側方に向けて鍔部３２ｃが設けられる。本体下部３２には、内側筒部３２ｂの内周面に雌ねじ部が設けられる。内側筒部３２ｂの下部と外側筒部３２ａとの間には、下方が開口した嵌め込み凹所３２ｄが形成される。
【００２５】
着脱下部４は、図４（ｂ）に示すように、内周に雌ねじ部を有する上筒部４１の下端部に集水ガイド部４２が設けられる。更に、着脱下部４には、上筒部４１の下端部から集水ガイド部４２の外方を覆うようにカバー筒部４３が下方に向けて突設される。
【００２６】
集水ガイド部４２には、図４（ｂ）に示すように、上筒部４１の下端から上筒部４１の内側に向かって先端側が下方へ向かうように傾斜する逆円錐台形状をした逆円錐台筒部４２ａが備えられる。そして、集水ガイド部４２には、逆円錐台筒部４２ａの下端縁部の周部から上筒部４１の内側に向かって先端側が下方へ向かうように傾斜した多数のくし部４２ｂが突出される。くし部４２ｂ間が上下及び先端側に開口したスリット４２ｃとなる。また、多数のくし部４２ｂの先端で囲まれる部分が竪樋１を嵌挿する竪樋嵌挿部４４となる。
【００２７】
次に、竪樋１と集水装置２と排水装置６の接続に関して説明する。
【００２８】
軒樋８に取付けられた集水装置２に対し、竪樋１の上端部を集水装置２の多数のくし部４２ｂの先端で囲まれる竪樋嵌挿部４４に嵌挿する。そして、竪樋１の上端部が軒樋８の下端部と同じ高さになるように、竪樋嵌挿部４４に嵌め込む。排水装置６に竪樋１の下端部が抜き取り自在に嵌め込まれて支持される。
【００２９】
次に、集水装置２から竪樋１へと流れる雨水の流れ方を説明する。
【００３０】
軒樋７から流入する雨水の量が少ない場合は、集水装置２内に流入する雨水の勢いが弱い。このとき、雨水が竪樋１の上端の開口にまで至らず、ほぼ全量が排水通路部３１ｄからそのまま集水ガイド部４２に流れ込む。集水ガイド部４２に流れた雨水は、一部がくし部４２ｂ上面に沿って整流されながら竪樋１の外面を流れる。そして、一部が複数のスリット４２ｃを伝って整流されながら竪樋１の外面を流れる。竪樋１の外周面に沿って流れた雨水は、排水装置６を通って排水管８に排出される。
【００３１】
また、軒樋７から流入する雨水の量が多くなると、排水通路部３１ｄに流入する雨水の勢いが強くなり、一部の雨水は前述のように、排水通路部３１ｄからそのまま流下して、竪樋１の外面に流れる。残りは勢いが強いため竪樋１の上端開口に流れ込んで排水される。
【００３２】
連設部１４は、外側竪樋１１と内側竪樋１２とを周方向の一部で連設する。本実施形態では、連設部１４は、図１に示すように、外側竪樋１１の家屋側端部と内側竪樋１２の家屋側端部とが連設されるが、連設される場所は特に限定されない。連設部１４は、外側竪樋１１と同じ透光性を有する樹脂で形成されるのが好ましいが、特に限定されない。
【００３３】
外側竪樋１１と内側竪樋１２との間には、透光性を有する外側竪樋１１を照射するための光源が設置される光源設置空間１３が設けられる。なお、光源設置空間１３に設置される光源は、外側竪樋１１と内側竪樋１２の両方を照射できるように設けられてもよい。光源設置空間１３は、図１に示すように、平面視Ｃ字状となる。つまり、本実施形態では、外側竪樋１１と内側竪樋１２とは同心円上に設けられていない。このとき、本実施形態では、光源設置空間１３の家屋側とは逆側から光源設置空間１３の家屋側に近づく程、外側竪樋１１と内側竪樋１２との間は狭くなる。
【００３４】
光源は、内側竪樋１２に設置される。光源は、例えば、内側竪樋１２の外面の周方向に平面視で等間隔に設置されると共に、内側竪樋１２の外面の上下方向の全長に亘って設置されてもよい。光源は本実施形態ではＬＥＤとなっている。
【００３５】
光源設置空間１３の上端部の開口には、集水装置２から流れてくる水が光源設置空間１４に流れ込まないようにするカバー部（図示せず）が設けられている。このとき、内側竪樋１２の上端部が外側竪樋１１の上端部よりも下方に設けられ、カバー部が外側竪樋１１の上端部から内側竪樋１２の上端部に近づく程下方に傾斜することが好ましい。こうすることで、集水装置２から流れてくる水が内側竪樋１２に流れ易くなる。
【００３６】
以上のような構成の竪樋１を設けることにより、光源設置空間１３に光源が設置され、内側竪樋１２に集水器から流下してくる水が内側竪樋１２の内部に流れるので、光源が壊れ難くなる。
【００３７】
連設部１４には、通気用スリット１４ａが設けられる。通気用スリット１４ａは、内部竪樋１２の内部空間と外側竪樋１１の外側の空間とを連通する。通気用スリット１４ａは、外側竪樋１１の外面から内側竪樋１２の内面に亘って設けられる。通気用スリット１４ａは、竪樋１の上下方向の全長に亘って設けられる。通気用スリット１４ａの周方向の幅は、内側竪樋１２を流下する水が通気用スリット１４ａを伝って外側竪樋１１の外側に噴出し難いように、狭く形成されることが好ましい。また、通気用スリット１４ａの径方向の長さは、内側竪樋１２を流下する水が通気用スリット１４ａを伝って外側竪樋１１の外側に噴出し難いように、長く形成されることが好ましい。通気用スリット１４ａが設けられることにより、内側竪樋１２の通気性が良くなり、内側竪樋１２にコケが発生し難くなる。そのため、内側竪樋１２が透光性を有する素材で形成されても、コケが写りこむ虞がなくなる。
【００３８】
外側竪樋１１と内側竪樋１２とが透光性を有する材質で形成され、光源設置空間１３から光源を用いて外側竪樋１１の外面を流れる水が照射されるので、外側竪樋１１の外面を流れる水の視覚効果を高めることができる。
【符号の説明】
【００３９】
１    竪樋
１１  外側竪樋
１２  内側竪樋
１３  光源設置空間
１４  連設部
１４ａ  通気用スリット
２    集水装置
３    本体部
４    着脱下部
５    塵流入防止用カバー
６    排水装置
７    軒樋
８    排水管
【図１】
2014206000.tif 000003
【図２】
2014206000.tif 000004
【図３】
2014206000.tif 000005
【図４】
2014206000.tif 000006